(57)【要約】【課題】電気柵に使用されたときに野生動物を感電させやすい電気柵用支柱、および野生動物を感電させやすい電気柵を提供する。【解決手段】電気柵用支柱１は、絶縁性を有する支柱本体２と、支柱本体２の一方側の周面に固着された第１の金属体３と、支柱本体２の一方側の周面とは反対側の周面に固着された第２の金属体４と、一本のコイル素線で構成された導電部材支持部５とを備える。導電部材支持部５は、第１の金属体３および第２の金属体４と接している。【選択図】図２
2015100312.tif 000002
【特許請求の範囲】
【請求項１】
支柱本体と、
該支柱本体の外接円と略同一径で巻回されたコイル素線で構成された導電部材支持部本体と、該導電部材支持部本体の中心軸線に沿って同導電部材支持部本体を構成するコイル素線の一端から同一端とは反対側に向けて延びたコイル素線で構成された第１の側方部と、該第１の側方部から前記導電部材支持部本体を離れる方向に延びたコイル素線で構成された第１のアーム部と、前記導電部材支持部本体の中心軸線に沿って同導電部材支持部本体を構成するコイル素線の他端から同他端とは反対側に向けて延びたコイル素線で構成された第２の側方部と、該第２の側方部から前記導電部材支持部本体を離れる方向に延びたコイル素線で構成された第２のアーム部とを有する導電部材支持部と、
前記支柱本体の表面に装着可能であり、かつ、導電性を有する導電部とを備える
電気柵用支柱。
【請求項２】
前記導電部は、前記支柱本体の表面に同支柱本体の長手方向に沿って固着された、かつ、同支柱本体の長手方向の長さの少なくとも半分の長手方向長さを有し、かつ、同支柱本体の短手方向の長さより短い短手方向長さを有する金属体である
請求項１に記載の電気柵用支柱。
【請求項３】
前記支柱本体の一方側の表面に第１の金属体が固着され、
前記支柱本体の一方側の表面とは反対側の表面に第２の金属体が固着された
請求項２に記載の電気柵用支柱。
【請求項４】
前記導電部は、前記支柱本体の外接円と略同一径で巻回されたコイル素線で構成された、かつ、前記支柱本体の長手方向の長さより短い長さを有するコイルバネである
請求項１に記載の電気柵用支柱。
【請求項５】
支柱本体と、
該支柱本体の表面に着脱可能に取付けられ、かつ、導電部材を支持可能であり、かつ、導電性を有する導電部材支持部と、
前記支柱本体の表面に装着可能であり、かつ、導電性を有する導電部とを備える
電気柵用支柱。
【請求項６】
所定領域の周囲に形成された、導電性を有する導電部材と、
該導電部材と電気的に接続されると共に、同導電部材に電圧を印加可能な電圧発生回路と、
支柱本体と、該支柱本体の外接円と略同一径で巻回されたコイル素線で構成された導電部材支持部本体と、該導電部材支持部本体の中心軸線に沿って同導電部材支持部本体を構成するコイル素線の一端から同一端とは反対側に向けて延びたコイル素線で構成された第１の側方部と、該第１の側方部から前記導電部材支持部本体を離れる方向に延びたコイル素線で構成された第１のアーム部と、前記導電部材支持部本体の中心軸線に沿って同導電部材支持部本体を構成するコイル素線の他端から同他端とは反対側に向けて延びたコイル素線で構成された第２の側方部と、該第２の側方部から前記導電部材支持部本体を離れる方向に延びたコイル素線で構成された第２のアーム部とを含み、前記導電部材と電気的に接続される導電部材支持部と、前記支柱本体の表面に装着可能であり、かつ、導電性である導電部とを有する電気柵用支柱とを備える
電気柵。
【発明の詳細な説明】
【技術分野】
【０００１】
本発明は電気柵用支柱および電気柵に関する。詳しくは、例えば野生動物から田畑を守るための電気柵用支柱および電気柵に係るものである。
【背景技術】
【０００２】
山間地域の農村地帯では、鹿、猪、猿、熊などの野生動物が田畑へ侵入することを防止するために、電気柵が多く使用されている。
【０００３】
電気柵は、田畑の周囲に張り巡らせた裸電線に、電源装置内の電圧発生回路から発生した電圧が印加され、この裸電線に接触した野生動物を、印加された電圧の電撃によって撃退するための柵である。
【０００４】
図７に従来の電気柵を示す。
図７に示すように、従来の電気柵１００は、田畑の周囲に打設された支柱１０２に取付けられた碍子（１０３ａ〜１０３ｄ）に係止されて張設された裸電線（１０３ａ〜１０３ｄ）を備える。
【０００５】
また、裸電線（１０３ａ〜１０３ｄ）は、約５０ｍごとに裸電線からなる上下結線１０４で結線される。
【０００６】
さらに、裸電線（１０３ａ〜１０３ｄ）のうち地表に一番近い１段目の裸電線１０３ｄは、地表から約２０ｃｍの高さに位置しており、２段目の裸電線１０３ｃは裸電線１０３ｄから上方へ約２０ｃｍの高さに位置しており、３段目の裸電線１０３ｂは裸電線１０３ｃから上方へ約４０ｃｍの高さに位置しており、４段目の裸電線１０３ａは裸電線１０３ｂから上方へ約５０ｃｍの高さに位置する。
【０００７】
また、張設された裸電線（１０３ａ〜１０３ｄ）に印加される所定の電圧を発生する電圧発生回路を有する電源装置１０５が、裸電線１０３ｃに電気的に接続されている。
【０００８】
そして、野生動物が、このような電気柵１００で囲まれた田畑に侵入しようとして、張設された裸電線（１０３ａ〜１０３ｄ）に接触すると、野生動物には、動物や人間などに衝撃を与えることができるほど高い電流（衝撃電流）が流れる。
このとき、衝撃電流は、図７の矢印のように電源装置１０５の出力端子１０６、電源装置１０５の出力線１０７、裸電線１０３ｃ、上下結線１０４、裸電線（１０３ａ、１０３ｂおよび１０３ｄ）、鹿などの野生動物１０８、地中１０９、アース棒１１０、アース線１１１、そしてアース端子１１２の順路で流れる。
【０００９】
これによって、野生動物１０８は、電撃を受けて撃退される。
【００１０】
また、このような電気柵に使用される支柱として、例えば特許文献１には、図８に示すような電気柵用支柱が記載されている。
すなわち、特許文献１に記載の電気柵用支柱１００は、合成樹脂からなる円柱形状の支柱本体１１０と、支柱本体１１０の表面に設けられたフック部１１１と、支柱本体１１０の周面に沿って環状に設けられた環状凸部１１２と、環状凸部１１２から先端部１１４に向けて支柱本体１１０の長手方向に沿って設けられた凸条部１１３とを備える。
【先行技術文献】
【特許文献】
【００１１】
【特許文献１】特開２００９−１９５２２９号公報
【発明の概要】
【発明が解決しようとする課題】
【００１２】
しかしながら、電気柵の裸電線には電圧が印加されているものの、支柱は絶縁性を有しているので、猿が裸電線に触れずに支柱を手で掴んで登攀して電気柵を乗り越えたり、熊や猪が裸電線に触れずに支柱を押し倒したりして、田畑へ侵入するという問題がある。
【００１３】
また、従来の電気柵は、碍子や裸電線は支柱の一方側に突出して取付ける構造となっている。この場合、碍子や裸電線が突出した側から野生動物が支柱に近づいたときは感電しやすいが、碍子が突出した側とは反対側から野生動物が支柱に近づいたときは、裸電線に接触しづらいため、感電せずに支柱に触れることが可能である。
【００１４】
一般に電気柵は、野生動物の田畑への進入を防ぐために田畑の外側方向に向けて碍子や裸電線を突出させて設置される。しかし、この構造では、何らかの要因で一度田畑内に進入した野生動物が感電せずに田畑から外側に脱出することを容易にしているという問題点がある。とくに猿など登攀行動が可能な動物は、田畑に隣接された立体的な建造物や樹木から電気柵を飛び越えて進入する場合があり、裸電線に接触しづらい内側から、感電せずに支柱を登攀して脱出することを学習してしまい、電気柵の効果が消失してしまうことが問題となっている。
【００１５】
本発明は、以上の点に鑑みて創案されたものであり、電気柵に使用されたときに野生動物を感電させやすい電気柵用支柱、および野生動物を感電させやすい電気柵を提供することを目的とする。
【課題を解決するための手段】
【００１６】
上記の目的を達成するために、本発明の電気柵用支柱は、支柱本体と、該支柱本体の外接円と略同一径で巻回されたコイル素線で構成された導電部材支持部本体と、該導電部材支持部本体の中心軸線に沿って同導電部材支持部本体を構成するコイル素線の一端から同一端とは反対側に向けて延びたコイル素線で構成された第１の側方部と、該第１の側方部から前記導電部材支持部本体を離れる方向に延びたコイル素線で構成された第１のアーム部と、前記導電部材支持部本体の中心軸線に沿って同導電部材支持部本体を構成するコイル素線の他端から同他端とは反対側に向けて延びたコイル素線で構成された第２の側方部と、該第２の側方部から前記導電部材支持部本体を離れる方向に延びたコイル素線で構成された第２のアーム部とを有する導電部材支持部と、前記支柱本体の表面に装着可能であり、かつ、導電性を有する導電部とを備える。
【００１７】
ここで、コイル素線で構成された導電部材支持部本体と、導電部材支持部本体の中心軸線に沿って導電部材支持部本体を構成するコイル素線の一端からこの一端とは反対側に向けて延びたコイル素線で構成された第１の側方部と、導電部材支持部本体の中心軸線に沿って導電部材支持部本体を構成するコイル素線の他端からこの他端とは反対側に向けて延びたコイル素線で構成された第２の側方部とを有する導電部材支持部によって、導電部材を支持することができ、また、導電部材支持部自体も導電部材に流れる電気を帯びることができる。
【００１８】
また、第１の側方部から導電部材支持部本体を離れる方向に延びたコイル素線で構成された第１のアーム部と、第２の側方部から導電部材支持部本体を離れる方向に延びたコイル素線で構成された第２のアーム部とを有する導電部材支持部によって、作業者は、第１のアーム部と第２のアーム部とを互いに近づく方向に動かすことで、導電部材支持部本体を拡径させることができ、導電部材支持部本体を支柱本体に着脱させやすい。
【００１９】
また、支柱本体の表面に装着可能であり、かつ導電性を有する導電部によって、支柱本体に取付けられた一の導電部材支持部と支柱本体に取付けられた他の導電部材支持部との間を通電させることができる。
【００２０】
また、本発明の電気柵用支柱において、導電部は、支柱本体の表面に支柱本体の長手方向に沿って固着された、かつ、支柱本体の長手方向の長さの少なくとも半分の長手方向長さを有し、かつ、支柱本体の短手方向の長さより短い短手方向長さを有する金属体であるものとすることができる。
【００２１】
この場合、導電部を脱着させる手間を省くことができる。
【００２２】
また、本発明の電気柵用支柱において、支柱本体の一方側の表面に第１の金属体が固着され、支柱本体の一方側の表面とは反対側の表面に第２の金属体が固着されたものとすることができる。
【００２３】
この場合、支柱本体の一方側の表面にのみ金属体が固着されたときよりも、支柱本体の表面における導電領域を大きくすることができる。
【００２４】
また、本発明の電気柵用支柱において、導電部は、支柱本体の外接円と略同一径で巻回されたコイル素線で構成された、かつ、支柱本体の長手方向の長さより短い長さを有するコイルバネであるものとすることができる。
【００２５】
この場合、金属体よりも支柱本体の表面における導電領域を、金属体が支柱本体の表面に固着されたときの導電領域より大きくすることができる。
【００２６】
また、上記の目的を達成するために、本発明の電気柵用支柱は、支柱本体と、該支柱本体の表面に着脱可能に取付けられ、かつ、導電部材を支持可能であり、かつ、導電性を有する導電部材支持部と、前記支柱本体の表面に装着可能であり、かつ、導電性を有する導電部とを備える。
【００２７】
ここで、支柱本体の表面に着脱可能に取付けられ、かつ、導電部材を支持可能であり、かつ、導電性を有する導電部材支持部によって、導電部材支持部自体も導電部材に流れる電気を帯びることができる。
【００２８】
また、支柱本体の表面に装着可能であり、かつ、導電性を有する導電部によって、支柱本体に取付けられた一の導電部材支持部と支柱本体に取付けられた他の導電部材支持部との間を通電させることができる。
【００２９】
また、上記の目的を達成するために、本発明の電気柵は、所定領域の周囲に形成された、導電性を有する導電部材と、該導電部材と電気的に接続されると共に、同導電部材に電圧を印加可能な電圧発生回路と、支柱本体と、該支柱本体の外接円と略同一径で巻回されたコイル素線で構成された導電部材支持部本体と、該導電部材支持部本体の中心軸線に沿って同導電部材支持部本体を構成するコイル素線の一端から同一端とは反対側に向けて延びたコイル素線で構成された第１の側方部と、該第１の側方部から前記導電部材支持部本体を離れる方向に延びたコイル素線で構成された第１のアーム部と、前記導電部材支持部本体の中心軸線に沿って同導電部材支持部本体を構成するコイル素線の他端から同他端とは反対側に向けて延びたコイル素線で構成された第２の側方部と、該第２の側方部から前記導電部材支持部本体を離れる方向に延びたコイル素線で構成された第２のアーム部とを含み、前記導電部材と電気的に接続される導電部材支持部と、前記支柱本体の表面に装着可能であり、かつ、導電性である導電部とを有する電気柵用支柱とを備える。
【００３０】
ここで、コイル素線で構成された導電部材支持部本体と、導電部材支持部本体の中心軸線に沿って導電部材支持部本体を構成するコイル素線の一端からこの一端とは反対側に向けて延びたコイル素線で構成された第１の側方部と、導電部材支持部本体の中心軸線に沿って導電部材支持部本体を構成するコイル素線の他端からこの他端とは反対側に向けて延びたコイル素線で構成された第２の側方部とを含む導電部材支持部によって、導電部材を支持することができ、また、導電部材支持部自体も導電部材に流れる電気を帯びることができる。
【００３１】
また、支柱本体の表面に装着可能であり、かつ導電性である導電部によって、支柱本体に取付けられた一の導電部材支持部と支柱本体に取付けられた他の導電部材支持部との間を通電させることができる。
【発明の効果】
【００３２】
本発明に係る電気柵用支柱は、電気柵に使用されたときに野生動物を感電させやすい。
本発明に係る電気柵は、野生動物を感電させやすい。
【図面の簡単な説明】
【００３３】
【図１】本発明を適用した第１の実施形態に係る電気柵用支柱の概略分解図である。
【図２】図１に示した各部材を組み合わせた状態の、本発明を適用した第１の実施形態に係る電気柵用支柱の概略図である。
【図３】本発明を適用した第１の実施形態に係る電気柵用支柱に裸電線を取付けた状態を示す概略図である。
【図４】本発明を適用した第２の実施形態に係る電気柵用支柱の概略分解図である。
【図５】図４に示した各部材を組み合わせた状態の、本発明を適用した第２の実施形態に係る電気柵用支柱の概略図である。
【図６】本発明を適用した電気柵の一例を示す概略図である。
【図７】従来の電気柵の設置態様を示す概略図である。
【図８】従来の電気柵用支柱を示す概略図である。
【発明を実施するための形態】
【００３４】
以下、本発明の実施の形態について図面を参照しながら説明し、本発明の理解に供する。
【００３５】
［第１の実施形態］
図１は、本発明を適用した第１の実施形態に係る電気柵用支柱の概略分解図である。また、図２は、図１に示した各部材を組み合わせた状態の、本発明を適用した第１の実施形態に係る電気柵用支柱の概略図である。また、図３は、本発明を適用した第１の実施形態に係る電気柵用支柱に裸電線を取付けた状態を示す概略図である。
【００３６】
本発明の第１の実施形態に係る電気柵用支柱１は、短手方向における断面形状が略円形の支柱本体２を備える。
また、支柱本体２は、ガラス繊維強化樹脂、ポリ塩化ビニル、またはポリエチレンなどで構成されており、絶縁性を有する。
【００３７】
また、本発明の電気柵用支柱１は、支柱本体２の一方側の周面に固着された第１の金属体３と、支柱本体２の一方側の周面とは反対側の周面に固着された第２の金属体４とを備える。
ここで、第１の金属体３および第２の金属体４は、導電部の一例である。
【００３８】
また、第１の金属体３および第２の金属体４を構成する金属は、導電性を有するものであればどのような金属でもよく、例えば、銅、アルミニウムが挙げられる。
【００３９】
また、第１の金属体３および第２の金属体４は、支柱本体２の周面に支柱本体２の長手方向に沿って形成された凹部に嵌め込まれて固着されている。
【００４０】
また、第１の金属体３および第２の金属体４は、支柱本体２の長手方向の長さの少なくとも半分の長手方向長さを有し、かつ、支柱本体２の短手方向の長さより短い短手方向長さを有する。
【００４１】
このように、導電部である第１の金属体３および第２の金属体４が支柱本体２に固着されているので、導電部を脱着させる手間を省くことができる。
【００４２】
また、本発明の第１の実施形態に係る電気柵用支柱１は、一本のコイル素線で構成された導電部材支持部５を備える。
【００４３】
また、導電部材支持部５は、支柱本体２の外接円と略同一径で巻回されたコイル素線で構成された導電部材支持部本体５Ａを有する。
また、導電部材支持部本体５Ａの巻回数は２回以上である。
【００４４】
また、導電部材支持部５は、導電部材支持部本体５Ａの中心軸線に沿って導電部材支持部本体５Ａを構成するコイル素線の一端から、この一端とは反対側に向けて延びたコイル素線で構成された第１の側方部５Ｂを有する。
【００４５】
また、導電部材支持部５は、第１の側方部５Ｂから導電部材支持部本体５Ａを離れる方向に延びたコイル素線で構成された第１のアーム部５Ｃを有する。
また、導電部材支持部５は、第１のアーム部５Ｃからループ状に延びた第１のループ部５Ｄを有する。
【００４６】
また、導電部材支持部５は、導電部材支持部本体５Ａの中心軸線に沿って導電部材支持部本体５Ａを構成するコイル素線の他端から、この他端とは反対側に向けて延びたコイル素線で構成された第２の側方部５Ｅを有する。
【００４７】
また、導電部材支持部５は、第２の側方部５Ｅから導電部材支持部本体５Ａを離れる方向に延びたコイル素線で構成された第２のアーム部５Ｆを有する。
また、導電部材支持部５は、第２のアーム部５Ｆからループ状に延びた第２のループ部５Ｇを有する。
【００４８】
また、第１の金属体３および第２金属体４は、支柱本体２の半径方向外側に向けて僅かに突出している。これにより、確実に第１の金属体３および第２金属体４と、導電部材支持部５とを接触させることができる。
【００４９】
また、本発明の電気柵用支柱１が使用されるときは、図２に示すように、導電部材支持部５が支柱本体２に装着された状態で使用される。
【００５０】
ここで、導電部材支持部５を支柱本体２に装着するためには、作業者は、第１のアーム部５Ｃと第２のアーム部５Ｆとを指で挟んで互いに近づく方向に動かし、導電部材支持部本体５Ａを拡径させる。
【００５１】
次に、拡径した導電部材支持部本体５Ａに支柱本体２を挿通する。そして、指を第１のアーム部５Ｃと第２のアーム部５Ｆから離すことで、支柱本体２の外接円と略同一径にまで導電部材支持部本体５Ａが縮径するので、導電部材支持部５が支柱本体２に装着される。
また、支柱本体２に装着された導電部材支持部５は、第１の金属体３および第２の金属体４と接している。
【００５２】
また、導電部材支持部５を支柱本体２から外すときは、再び第１のアーム部５Ｃと第２のアーム部５Ｆとを指で挟んで互いに近づく方向に動かし、導電部材支持部本体５Ａを拡径させる。
【００５３】
また、このように導電部材支持部５が支柱本体２に装着された本発明の電気柵用支柱１には、例えば図３に示すように裸電線６が張設される。
【００５４】
すなわち、第１の側方部５Ｂと導電部材支持部本体５Ａとの間、および第２の側方部５Ｅと導電部材支持部本体５Ａとの間に裸電線６を通すと共に、裸電線６を導電部材支持部本体５Ａに沿わせる。また、裸電線６は、導電部材の一例である。
ここで、第１の側方部５Ｂと導電部材支持部本体５Ａとの間、および第２の側方部５Ｅと導電部材支持部本体５Ａとの間で裸電線６が挟まれ、裸電線６は支持されている。
【００５５】
ここで、必ずしも支柱本体の一方側の周面に第１の金属体が固着され、支柱本体の一方側の周面とは反対側の周面に第２の金属体が固着されていなくてもよい。例えば、支柱本体の一方側の周面にのみ金属体が固着されていてもよい。
【００５６】
しかし、支柱本体の一方側の周面に第１の金属体が固着され、支柱本体の一方側の周面とは反対側の周面に第２の金属体が固着されていれば、支柱本体の一方側の周面にのみ金属体が固着されたときよりも、支柱本体の周面における導電領域を大きくすることができるので好ましい。
【００５７】
［第２の実施形態］
図４は、本発明を適用した第２の実施形態に係る電気柵用支柱の概略分解図である。また、図５は、図４に示した各部材を組み合わせた状態の、本発明を適用した第２の実施形態に係る電気柵用支柱の概略図である。
【００５８】
本発明の第２の実施形態に係る電気柵用支柱２１は、短手方向における断面形状が略円形の支柱本体２２を備える。
【００５９】
ここで、支柱本体２２は、本発明の第１の実施形態に係る電気柵用支柱１の支柱本体２と異なり、第１の金属体３や第２の金属体４は固着されておらず、汎用品である。
また、支柱本体２２は、ガラス繊維強化樹脂、ポリ塩化ビニル、またはポリエチレンなどで構成されており、絶縁性を有する。
【００６０】
また、本発明の電気柵用支柱２１は、支柱本体２２の外接円と略同一径で巻回されたコイル素線で構成された、かつ、支柱本体２２の長手方向の長さより短い長さを有するコイルバネ２３を備える。
ここで、コイルバネ２３は、導電部の一例である。
【００６１】
このようなコイルバネ２３を支柱本体２２に装着するので、支柱本体２２の周面をコイルバネ２３で囲むことができ、よって、金属体を固着した場合よりも支柱本体の周面における導電領域を大きくすることができるので好ましい。
【００６２】
また、本発明の第２の実施形態に係る電気柵用支柱２１は、一本のコイル素線で構成された導電部材支持部５を備える。
また、本発明の第２の実施形態に係る電気柵用支柱２１の導電部材支持部５は、本発明の第１の実施形態に係る電気柵用支柱１の導電部材支持部と同じものである。
【００６３】
また、本発明の電気柵用支柱２１が使用されるときは、図５に示すように、導電部材支持部５とコイルバネ２３が、支柱本体２２に装着された状態で使用される。
【００６４】
このとき、コイルバネ２３は、２つの導電部材支持部５に挟まれており、かつ、コイルバネ２３は、２つの導電部材支持部５に接している。
また、２つの導電部材支持部５の間の距離を、コイルバネ２３の通常の長さより短くしてコイルバネ２３を収縮させておけば、コイルバネ２３に伸長する方向への付勢力が生じる。従って、２つの導電部材支持部５とコイルバネ２３とが、しっかりと接する。
【００６５】
また、導電部材支持部５とコイルバネ２３が支柱本体２２に装着された本発明の電気柵用支柱２１には、本発明の第１の実施形態に係る電気柵用支柱１と同様に、裸電線６が取付けられる。
【００６６】
本発明の電気柵用支柱の第１の形態および第２の形態において、短手方向における断面形状が略円形である支柱本体を例に挙げて説明したが、短手方向における断面形状は必ずしも略円形でなくてもよい。例えば、略四角形などの多角形でもよい。
【００６７】
また、本発明の電気柵用支柱の第１の形態および第２の形態において、前述のような導電部材支持部本体と、第１の側方部と、第１のアーム部と、第２の側方部と、第２のアーム部とを有する導電部材支持部を例に挙げて説明したが、導電部材支持部は必ずしもこのような構造を有していなくてもよい。
【００６８】
しかし、導電部材支持部が、第１の側方部から導電部材支持部本体を離れる方向に延びたコイル素線で構成された第１のアーム部と、第２の側方部から導電部材支持部本体を離れる方向に延びたコイル素線で構成された第２のアーム部とを有していれば、作業者は、第１のアーム部と第２のアーム部とを互いに近づく方向に動かすことで、導電部材支持部本体を拡径させることができ、導電部材支持部本体を支柱本体に着脱させやすいので好ましい。
【００６９】
［電気柵］
図６は、本発明を適用した電気柵の一例を示す概略図である。
図６に示す本発明の電気柵３１は、田畑の周囲に立設された本発明の第１の実施形態に係る電気柵用支柱１を備える。
【００７０】
また、本発明の電気柵３１は、本発明の電気柵用支柱１に互いに平行に張設された４本の裸電線６を備える。
ここで、裸電線６は、図３に示すように本発明の電気柵用支柱１に張設されている。
【００７１】
また、本発明の電気柵３１は、張設された裸電線６と電気的に接続されると共に、裸電線６に電圧を印加可能な電圧発生回路を有する電源装置３２を備える。
ここで、電源装置３２は、出力端子３３と、出力端子３３から延びた出力線７とを有し、出力線７が裸電線６の１つに接続されている。
【００７２】
また、電源装置３２は、アース端子３８と、アース端子から延びたアース線３７とを有する。また、アース線３７の先端にはアース棒３６が取付けられており、アース棒３６は地中３５に埋設されている。
【００７３】
このように本発明の電気柵３１は本発明の電気柵用支柱１を備えている。そして本発明の電気柵用支柱１は、コイル素線で構成された導電部材支持部５と、第１の金属体３および第２の金属体４を備えている。
従って、導電部材支持部５自体も裸電線６に流れる電気を帯びることができ、さらに、支柱本体２に取付けられた一の導電部材支持部５と支柱本体２に取付けられた他の導電部材支持部５との間を通電させることができる。
【００７４】
その結果、本発明の電気柵３１は、図７に示される従来の電気柵のような裸電線間を結線する上下結線１０４を備える必要がない。
【００７５】
また、図７に示される従来の電気柵は碍子を備えているが、碍子は裸電線とその支持物とを絶縁するためのものであるから、碍子自体は電気を帯びることができない。
従って、従来の電気柵の支柱に単に金属体を固着させても金属体には電気は流れないので、金属体に電気を流すためには裸電線と金属体とを結線する必要がある。
【００７６】
一方、本発明の電気柵３１は、碍子ではなくコイル素線で構成された導電部材支持部５を有する電気柵用支柱１を備えているので、裸電線６を流れる電気は導電部材支持部５を通って金属体へと流れる。従って、裸電線６と金属体とを結線する必要がない。
【００７７】
また、本発明の電気柵用支柱１が備える導電部材支持部５は、第１のアーム部５Ｃと、第２のアーム部５Ｆを有しているので、作業者は、第１のアーム部５Ｃと第２のアーム部５Ｆとを互いに近づく方向に動かして導電部材支持部本体５Ａを拡径させるだけで、導電部材支持部５の位置を変えることができる。
従って、裸電線６の高さ調節も容易である。
【００７８】
以上のように、本発明の電気柵用支柱は、支柱本体の表面に着脱可能に取付けられ、かつ、導電部材を支持可能であり、かつ、導電性を有する導電部材支持部を備えるので、導電部材支持部自体も導電部材に流れる電気を帯びることができる。
【００７９】
また、本発明の電気柵用支柱は、支柱本体の表面に装着可能であり、かつ、導電性を有する導電部を備えるので、支柱本体に取付けられた一の導電部材支持部と支柱本体に取付けられた他の導電部材支持部との間を通電させることができる。
【００８０】
従って、本発明の電気柵用支柱は、支柱本体に野生動物が触れても感電するので、電気柵に使用されたときに野生動物を感電させやすい。
また、このような本発明の電気柵用支柱を備える本発明の電気柵も、野生動物を感電させやすい。
【００８１】
また、本発明の電気柵用支柱は、支柱本体に野生動物が触れても感電するので、支柱の一方側からでも他方側からでも感電しやすさは変わらない。
【００８２】
よって、本発明の電気柵用支柱は野生動物に対して支柱に対する忌避学習を成立させることができる。
また、このような本発明の電気柵用支柱を備える本発明の電気柵は、とくに田畑の内側からも感電させやすいので、一度田畑に進入され場合でも脱出時に感電させることにより、電気柵に対する忌避学習を強化させやすい。
【符号の説明】
【００８３】
１    電気柵用支柱
２    支柱本体
３    第１の金属体
４    第２の金属体
５    導電部材支持部
５Ａ  導電部材支持部本体
５Ｂ  第１の側方部
５Ｃ  第１のアーム部
５Ｄ  第１のループ部
５Ｅ  第２の側方部
５Ｆ  第２のアーム部
５Ｇ  第２のループ部
６    裸電線
７    中心軸線
２１    電気柵用支柱
２２    支柱本体
２３    コイルバネ
３１    電気柵
３２    電源装置
３３    出力端子
３４    出力線
３５    地中
３６    アース棒
３７    アース線
３８    アース端子
【図１】
2015100312.tif 000003
【図２】
2015100312.tif 000004
【図３】
2015100312.tif 000005
【図４】
2015100312.tif 000006
【図５】
2015100312.tif 000007
【図６】
2015100312.tif 000008
【図７】
2015100312.tif 000009
【図８】
2015100312.tif 000010